(57)【要約】      （修正有）【課題】高精度で微調整しながら押し引き閉合を実現することができる３メイントラス型鋼トラス橋の複数閉合協働微調整の押し引き設備を提供する。【解決手段】３メイントラス型鋼トラス橋の複数閉合協働微調整の押し引き設備は、支持座１と、仕上げ圧延ネジ鋼筋２と、ジャッキ３と、横梁４と、および、コントロールシステムとを含み、支持座は、閉合口の両側にあるロッド部材の上フランジに固定され、支持座および横梁の内に長手方向に沿って予備穴が開設され、仕上げ圧延ネジ鋼筋は、予備穴内に挿入され、仕上げ圧延ネジ鋼筋の一端は一方側の支持座に固定接続され、仕上げ圧延ネジ鋼筋の他端は閉合口の他方側の支持座の予備穴を貫通して横梁に固定接続され、横梁と閉合口の他方側の支持座との間にさらにジャッキが取付けられ、コントロールシステムは、横梁を押動させるようにジャッキをコントロールする。【選択図】図２
0003232364.tif 000002
【実用新案登録請求の範囲】
【請求項１】
支持座と、仕上げ圧延ネジ鋼筋と、ジャッキと、横梁と、および、コントロールシステム
とを含み、前記支持座は、閉合口の両側にあるロッド部材の上フランジにおけるボルト穴
にそれぞれネジ固定されており、前記支持座および前記横梁の内に長手方向に沿って予備
穴が開設されており、前記仕上げ圧延ネジ鋼筋は、前記予備穴内に挿入されており、前記
仕上げ圧延ネジ鋼筋の一端は一方側の支持座に固定接続され、前記仕上げ圧延ネジ鋼筋の
他端は閉合口の他方側の支持座の予備穴を貫通して横梁に固定接続されており、前記横梁
と閉合口の他方側の支持座との間にさらにジャッキが取付けられており、前記ジャッキは
支持座に固定的に取付けられており、また前記ジャッキの出力端が横梁に固定接続されて
おり、前記ジャッキと前記コントロールシステムとが電気接続されており、前記コントロ
ールシステムは、横梁を押動させるようにジャッキをコントロールすることにより閉合口
の両側にあるロッド部材を接近または遠隔させることを特徴とする３メイントラス型鋼ト
ラス橋の複数閉合協働微調整の押し引き設備。
【請求項２】
前記コントロールシステムは、データプロセッサと、および、電気システムとを含み、前
記データプロセッサは、前記電気システムからの情報フィードバックの受信および前記電
気システムへのコントロール指令の発信が可能であるように構成されており、前記電気シ
ステムと前記ジャッキとが互いに接続されていることを特徴とする請求項１に記載の３メ
イントラス型鋼トラス橋の複数閉合協働微調整の押し引き設備。
【請求項３】
メイン橋の支持座に位置限定手段が設けられており、前記位置限定手段は閉合口の一方側
におけるロッド部材をロック可能に構成されており、閉合口の他側におけるロッド部材が
長手方向に自由に移動可能に構成されていることを特徴とする請求項１に記載の３メイン
トラス型鋼トラス橋の複数閉合協働微調整の押し引き設備。
【請求項４】
前記仕上げ圧延ネジ鋼筋の一端は締合ボルトとパッドによって閉合口の一方側における支
持座に固定される一方、前記仕上げ圧延ネジ鋼筋の他端は閉合口の他方側における横梁の
予備穴を貫通して締合ボルトとパッドによって横梁に固定されていることを特徴とする請
求項１に記載の３メイントラス型鋼トラス橋の複数閉合協働微調整の押し引き設備。
【請求項５】
閉合口の両側におけるロッド部材の上フランジに距離測定装置が配置されており、前記距
離測定装置は前記コントロールシステムに検出信号を発信できるように構成されているこ
とを特徴とする請求項１に記載の３メイントラス型鋼トラス橋の複数閉合協働微調整の押
し引き設備。
【請求項６】
各トラスに上下にそれぞれバーコードが備えられ、総計６個の閉合口を有している３メイ
ントラス型橋に適用可能に構成され、各閉合口においていずれも押し引き設備および距離
測定装置が備えられていることを特徴とする請求項１に記載の３メイントラス型鋼トラス
橋の複数閉合協働微調整の押し引き設備。
【考案の詳細な説明】
【技術分野】
【０００１】
本考案は、橋施工技術分野に関し、特に、３メイントラス型鋼トラス橋の複数閉合協働微
調整の押し引き設備に関する。
【背景技術】
【０００２】
鋼トラス橋は工事期間が短いため、延伸能力、部品のモジュール化の工場の事前生産など
の特性を乗り越えて、中国の橋建設事業において重要な位置を占めている。現在の鋼トラ
ス橋の工事は、片持ち梁を使って、クロスまたは中にまたがって、中合龍にまたがる方式
が多い。しかし、シャフトのサイズのばらつき、設置誤差や現場環境などの影響で、合龍
の場合は両側のロッドの位置が偏位することが多い。ロッドの位置調整が必要である。伝
統的な調整プロセスには梁体全体の頂落縦移と温度調節を利用する方式が含まれる。しか
し、限界がある。梁体全体の屋根落下は工事の難易度が高く、制御しにくい。温度調整の
効果は限られており、環境による影響が大きい。新たな鋼材トラスブリッジの天井調整装
置が必要となり、従来の調整方法の不足を補うことができる。特に、鋼材トラス橋合竜口
の多柱部品合龍に対して、共同作業を実現し、正確に調整する。
【考案の概要】
【０００３】
本実用新案は、既存の鋼トラスを技術改造することにより、既存の鋼トラスブリッジの位
置調整が困難な問題を解決した新型の鋼トラス橋の複数閉合協働微調整の押し引き設備を
提供する。
【０００４】
上記の技術問題を解決するために、本考案は具体的に次の技術方案を提供する。
【０００５】
３メイントラス型鋼トラス橋の複数閉合協働微調整の押し引き設備は、支持座と、仕上げ
圧延ネジ鋼筋と、ジャッキと、横梁と、および、コントロールシステムとを含み、前記支
持座は、閉合口の両側にあるロッド部材の上フランジにおけるボルト穴にそれぞれネジ固
定されており、前記支持座および前記横梁の内に長手方向に沿って予備穴が開設されてお
り、前記仕上げ圧延ネジ鋼筋は、前記予備穴内に挿入されており、前記仕上げ圧延ネジ鋼
筋の一端は一方側の支持座に固定接続され、前記仕上げ圧延ネジ鋼筋の他端は閉合口の他
方側の支持座の予備穴を貫通して横梁に固定接続されており、前記横梁と閉合口の他方側
の支持座との間にさらにジャッキが取付けられており、前記ジャッキは支持座に固定的に
取付けられており、また前記ジャッキの出力端が横梁に固定接続されており、前記ジャッ
キと前記コントロールシステムとが電気接続されており、前記コントロールシステムは、
横梁を押動させるようにジャッキをコントロールすることにより閉合口の両側にあるロッ
ド部材を接近または遠隔させることができるように構成されている。
【０００６】
好ましくは、前記コントロールシステムは、データプロセッサと、および、電気システム
とを含み、前記データプロセッサは、前記電気システムからの情報フィードバックの受信
および前記電気システムへのコントロール指令の発信が可能であるように構成されており
、前記電気システムと前記ジャッキとが互いに接続されている。
【０００７】
好ましくは、メイン橋の支持座に位置限定手段が設けられており、前記位置限定手段は閉
合口の一方側におけるロッド部材をロック可能に構成されており、閉合口の他側における
ロッド部材が長手方向に自由に移動可能に構成されている。
【０００８】
好ましくは、前記仕上げ圧延ネジ鋼筋の一端は締合ボルトとパッドによって閉合口の一方
側における支持座に固定される一方、前記仕上げ圧延ネジ鋼筋の他端は閉合口の他方側に
おける横梁の予備穴を貫通して締合ボルトとパッドによって横梁に固定されている。
【０００９】
好ましくは、閉合口の両側におけるロッド部材の上フランジに距離測定装置が配置されて
おり、前記距離測定装置は前記コントロールシステムに検出信号を発信できるように構成
されている。
【００１０】
好ましくは、各トラスに上下にそれぞれバーコードが備えられ、総計６個の閉合口を有し
ている３メイントラス型橋に適用可能に構成され、各閉合口においていずれも押し引き設
備および距離測定装置が備えられている。
【００１１】
既存技術に対して、本考案は以下のような有益な効果を有する。
ジャッキの押力は、横梁、仕上げ圧延ネジ鋼筋および支持座を介して伝達される。これに
よって両側にあるロッド部材を互いに向かさせて長手方向に沿って移動させて閉合させる
。距離測定器は、ロッド部材の長手方向における位置変位を測定するとともに、その情報
をコントロールシステムに伝送することができる。コントロールシステムは複数閉合口の
位置変位情報に基づいて、動態的に各閉合口におけるジャッキ押力を制御することができ
る。各閉合口同士は協働して、閉合は所定の精度になるまで押し引き動作を実行する。本
願にかかる設備において、コントロールシステムによっては、複数個の閉合口において協
働作業させるようにコントロールすることにより、高精度で微調整しながら押し引き閉合
を実現することができる。閉合両側の位置変位が大きくない場合における全体的な長手方
向の移動操作およびそのコントロールの大きな難度、および温度による伸縮調整における
天気の制約という従来の欠陥を克服できている。
【図面の簡単な説明】
【００１２】
【図１】電機一体化知能制御原理図である。
【図２】実用新案装置の押し引きの取り付け状態の平面図である。
【図３】本実用新案装置の押し引きの取付状態の正面図である。
【図４】本実用新案の支持座構造の平面図である。
【図５】図４の１−１断面図である。
【図６】図４の２−２断面図である。
【図７】本実用新案の橋構造の断面図である。
【図８】図７の１−１断面図である。
【図９】図７の２−２断面図である。
【００１３】
[符号の説明]
１  支持座、２  仕上げ圧延ネジ鋼筋、３  ジャッキ、４  横梁、５  予備穴、６  締合
ボルト、７  パッド、８  距離測定装置
【考案を実施するための形態】
【００１４】
以下に、添付図面を参照しながら、本実用新案を説明する。
【００１５】
図１〜９に示されるように、本実施例において提供される３メイントラス型鋼トラス橋の
複数閉合協働微調整の押し引き設備は、支持座１と、仕上げ圧延ネジ鋼筋２と、ジャッキ
３と、横梁４と、および、コントロールシステムとを含み、前記支持座１は、閉合口の両
側にあるロッド部材の上フランジにおけるボルト穴にそれぞれネジ固定されている。前記
支持座１および横梁４の内に長手方向に沿って予備穴５が開設されている。仕上げ圧延ネ
ジ鋼筋２は、前記予備穴内４に挿入される。前記仕上げ圧延ネジ鋼筋２の一端は一方側の
支持座１に固定接続され、前記仕上げ圧延ネジ鋼筋２の他端は閉合口の他方側の支持座１
の予備穴５を貫通して横梁４に固定接続されている。前記横梁４と閉合口の他方側の支持
座１との間にさらにジャッキ３が取付けられており、前記ジャッキ３は支持座１に固定的
に取付けられており、また前記ジャッキ３の出力端が横梁４に固定接続されている。前記
ジャッキ３と前記コントロールシステムとが電気接続されている。前記コントロールシス
テムは、横梁４を押動させるようにジャッキ３をコントロールすることにより閉合口の両
側にあるロッド部材を接近または遠隔させることができるように構成されている。
【００１６】
さらに、前記コントロールシステムは、データプロセッサと、および、電気システムとを
含む。前記データプロセッサは、前記電気システムからの情報フィードバックの受信およ
び前記電気システムへのコントロール指令の発信が可能である。前記電気システムと前記
ジャッキ３とが互いに接続されている。
【００１７】
さらに、メイン橋の支持座に位置限定手段が設けられている。前記位置限定手段は閉合口
の一方側におけるロッド部材をロック可能に構成されており、閉合口の他側におけるロッ
ド部材が長手方向に自由に移動可能である。
【００１８】
さらに、前記仕上げ圧延ネジ鋼筋２の一端は締合ボルト６とパッド７によって閉合口の一
方側における支持座１に固定される一方、前記仕上げ圧延ネジ鋼筋２の他端は閉合口の他
方側における横梁４の予備穴５を貫通して締合ボルト６とパッド７によって横梁４に固定
されている。
【００１９】
さらに、閉合口の両側におけるロッド部材の上フランジに距離測定装置８が配置されてい
る。前記距離測定装置８は前記コントロールシステムに検出信号を発信できるように構成
されている。距離測定装置８は、タイムリーに動態的にロッド部材間の位置変位を測定す
るとともに、位置変位情報を電気システムによってデータプロセッサに伝送することがで
きる。
【００２０】
さらに、本押し引き設備は各トラスに上下にそれぞれバーコード（ｃｈｏｒｄ  ｂａｒ）
が備えられ、総計６個の閉合口を有している３メイントラス型橋に適用可能である。各閉
合口においていずれも押し引き設備および距離測定装置８を配置するとする。データプロ
セッサは６個口の位置変位のタイムリー情報データをモニターするとともに、６個のジャ
ッキ３を協働作業させるように制御することができる。各閉合口の長手方向における位置
変位が不一致となった場合、位置変位の大きい閉合口に対して、データプロセッサによっ
て、押力を増加させるようにコントロールする。ここで、少しずつ調整しながら、各閉合
口の長手方向における位置変位の差が合理的範囲に入るようにさせてもよい。データプロ
セッサによっては、６個のジャッキ３を協働作業させ、同期に押し動作を行わせて、順調
に閉合できるまでコントロールすることができる。
【００２１】
本考案は以下の利点を有している。
本実施例においては、ジャッキの押力は、横梁、仕上げ圧延ネジ鋼筋および支持座を介し
て伝達される。これによって両側にあるロッド部材を互いに向かさせて長手方向に移動さ
せて閉合させる。距離測定器はロッド部材の長手方向における位置変位を測定するととも
に、その情報をコントロールシステムに伝送する。コントロールシステムは複数閉合口の
位置変位情報に基づいて、動態的に各閉合口におけるジャッキ押力をコントロールする。
各閉合口同士は協働して、閉合は所定の精度になるまで押し引き動作を実行する。本設備
は、コントロールシステムによって複数個の閉合口において協働作業させるようにコント
ロールすることにより、高精度で微調整しながら押し引き閉合を実現できることに利点が
ある。閉合両側の位置変位が大きくない場合における全体的な長手方向の移動操作および
そのコントロールの大きな難度、および温度による伸縮調整における天気の制約という問
題を解決できる。
【００２２】
最後に、説明すべきなのは、例に挙げた実施例及び添付の図面は、参照及び説明のために
のみ提供され、本考案を限定するものではなく、これらの記載に基づいて容易に実施した
修正又は変更も、本考案の精神及び意図の範囲内であると見なされ、これらの創作ももち
ろん本考案の特許請求の範囲に含まれることは、当該技術に精通している当業者が理解す
べきであろう。
【００２３】
本実用新案に使用された標準部品は全部市場から購入できる。異形品は明細書の記載と図
面の記載に基づいて製造できる。各部品の具体的な接続方式は、従来技術の成熟したボル
ト、リベット、溶接などの一般的な手段を採用しており、機械、部品、設備はすべて従来
技術の型番を採用する。
【００２４】
本実用新案の説明には、特に明確な規定と限定がない限り、用語「設置」、「接続」、「
固定」は広義的に理解されるべきである。例えば、固定接続であっても良いし、取り外し
可能接続であっても良いし、一体としても良いし、機械的接続であっても良いし、電気的
接続であっても良いし、直接接続であっても良いし、中間媒体を介して接続しても良いし
、2つの要素の内部の連結または2つの要素の相互作用関係であっても良い。上記の用語の
本実用新案における具体的な意味は、当業者にとって具体的に理解され得る。
【図１】
0003232364.tif 000003
【図２】
0003232364.tif 000004
【図３】
0003232364.tif 000005
【図４】
0003232364.tif 000006
【図５】
0003232364.tif 000007
【図６】
0003232364.tif 000008
【図７】
0003232364.tif 000009
【図８】
0003232364.tif 000010
【図９】
0003232364.tif 000011